(57)【要約】【課題】  部品点数が少なく、複雑な組立工程を要することなく容易かつ低コストで製造することができる信頼性の高いディスクケースを提供することにある。【解決手段】  ディスク７を収納した状態で情報記録再生装置に出し入れされるディスクケースにおいて、ディスクの片面を覆うトップケース部材３と、ディスク７の反対面を覆うボトムケース部材５と、トップケース部材３及びボトムケース部材５によって形成されるディスク収納領域を開閉可能に、このトップケース部材３及びボトムケース部材５の一端を回転可動に連結し、ディスク面内方向に回転される可動連結部１１とを具備することを特徴とする。【選択図】  図２
2005174497.tif 000002
【特許請求の範囲】
【請求項１】
ディスクを収納した状態で情報記録再生装置に出し入れされるディスクケースにおいて、
前記ディスクの片面を覆う第１のケース部材と、
前記ディスクの反対面を覆う第２のケース部材と、
前記第１及び第２のケース部材によって形成されるディスク収納領域を開閉可能に、前記第１及び第２のケース部材の一端を回転可動に連結し、前記ディスク面内方向に回転される可動連結部とを具備することを特徴とするディスクケース。
【請求項２】
ディスクを収納した状態で情報記録再生装置に出し入れされるディスクケースにおいて、
前記ディスクの片面を覆う第１のケース部材と、
前記ディスクの反対面を覆う第２のケース部材と、
前記第１及び第２のケース部材によって形成されるディスク収納領域を開閉可能に、前記第１及び第２のケース部材の一端を回転可動に連結し、前記ディスク面内方向に回転される可動連結部と、
前記第１及び第２のケース部材の開閉をロックするロック機構とを具備することを特徴とするディスクケース。
【請求項３】
前記可動連結部は、前記第１のケース部材に設けられた回転固定用穴と、前記第２のケース部材に設けられた回転固定用ピンとからなり、前記回転固定用ピンを前記回転固定用穴に挿入することで前記第１及び第２のケース部材を半時計回りに回転させることを特徴とする請求項１乃至２のいずれかに記載のディスクケース。
【請求項４】
前記回転固定用ピンは、円柱状の突起形状であることを特徴とする請求項３記載のディスクケース。
【請求項５】
前記ロック機構は、前記第２のケース部材に設けられたロック用ピンと、前記第１のケース部材に設けられたロック用板ばねとから構成され、前記ロック用板ばねの内面側が窪み形状となっており、この窪みに前記ロック用ピンが引っ掛かることでロックすることを特徴とする請求項１乃至２のいずれかに記載のディスクケース。
【請求項６】
前記ロック用板ばねは、前記第１のケース部材の周縁上に一体に設けられたことを特徴とする請求項５記載のディスクケース。
【請求項７】
前記ロック機構は、前記第１及び第２のケース部材内において前記可動連結部と相対する位置に配置されることを特徴とする請求項１乃至２のいずれかに記載のディスクケース。
【発明の詳細な説明】
【技術分野】
【０００１】
この発明は、ディスクを収納した状態で情報記録再生装置に出し入れされるディスクケースに関する。
【背景技術】
【０００２】
従来より、磁気ディスクや光ディスク等のディスク状記録媒体（以下、ディスクという。）を、ドライブ装置に直接装着せずに、ケースに収納した状態で再生を行えるようにしたディスクケースが提案されている。
【０００３】
このような従来のディスクケースとしては、ディスクを収納する収納部が設けられたケース本体と、収納部を閉塞するカバー部材とを備え、このカバー部材をケース本体に対して開閉可能に取り付けることにより、収納部に収納されたディスクの出し入れが自在に行えるようにしたものが知られている。
【０００４】
また、特開平８−２４９８５２号公報（例えば、特許文献１）にて開示される光ディスク用ケースは、１２０ｃｍディスクを収納することを目的としており、ディスクを置くトレイとカバーが２箇所で固定されたヒンジ構造によってケースをディスク面外方向に開閉する機構を有している。
【特許文献１】特開平８−２４９８５２号公報
【発明の開示】
【発明が解決しようとする課題】
【０００５】
上記した特許文献１の技術は、光ディスクを収納した状態で情報記録再生装置に出し入れされる光ディスク用ケースであって、光ディスクの片面を覆う第１のケース部材と、光ディスクの反対面を覆う第２のケース部材と、第１及び第２のケース部材によって形成される光ディスク収納領域を開閉可能に、第１及び第２のケース部材のそれぞれの一端を可動に連結する可動連結部と、第１及び第２のケース部材のそれぞれに形成されたスピンドル孔と、第１及び第２のケース部材のそれぞれに形成されたヘッド挿入孔とを有した構成となっている。すなわち、第１のケース部材と第２のケース部材が可動連結部によって連結され、光ディスク収納領域を開閉可能としている。
【０００６】
しかしながら、このような光ディスクケースでは、可動連結部の部品を別個に製造する必要があり、部品点数の多さ、また組み立ての容易さという点において非常に問題があった。
【０００７】
そこで、本発明は上記の問題を解決するために成されたものであり、部品点数が少なく、複雑な組立工程を要することなく容易かつ低コストで製造することができる信頼性の高いディスクケースを提供することを目的とすることにある。
【課題を解決するための手段】
【０００８】
上記した課題を解決するために、この発明は、ディスクを収納した状態で情報記録再生装置に出し入れされるディスクケースにおいて、前記ディスクの片面を覆う第１のケース部材と、前記ディスクの反対面を覆う第２のケース部材と、前記第１及び第２のケース部材によって形成されるディスク収納領域を開閉可能に、前記第１及び第２のケース部材の一端を回転可動に連結し、前記ディスク面内方向に回転される可動連結部とを具備することを特徴とする。
【発明の効果】
【０００９】
この発明によれば、光ディスク用ケースにおいて、ボトムケース部材とトップケース部材によって形成される光ディスク収納領域を開閉可能に、ボトムケース部材とトップケース部材のそれぞれの一端を可動に連結する可動連結部を設けたことで、構成部品をボトムケース部材、トップケース部材の２点で構成することができ、容易に部品製造や組み立てを行うことができる。
【００１０】
また、可動連結部を中心に、ディスク面内方向にのみ回転が自由となるため、指紋などの汚れがディスクの情報記録面に付着する機会をできるだけ減らし、ディスクを光ディスク用ケースから取り出しやすくすることができる。
【発明を実施するための最良の形態】
【００１１】
以下、この発明の実施例について、図面を参照しながら詳細に説明する。
【００１２】
図１乃至図２（ａ）（ｂ）は、この発明の実施形態に係るディスク用ケースの構成を示す斜視図である。図１は、光ディスクが収納され、かつ、光ディスク用ケースが閉じた状態の斜視図である。図２（ａ）は、光ディスクが収納され、かつ、光ディスク用ケースが開いた状態の斜視図である。図２（ｂ）は、光ディスクが収納されておらず、かつ、光ディスク用ケースが開いた状態の斜視図である。
【００１３】
図１及び図２（ａ）（ｂ）に示すように、光ディスク用ケース１００はトップケース部材３（第１のケース部材）とボトムケース部材５（第２のケース部材）からなり、両面にヘッド挿入孔９ａ、９ｂが形成されている。ヘッド挿入孔９ａ、９ｂは光ディスク用ケース１００の一辺に開口している。
【００１４】
トップケース部材３及びボトムケース部材５は可動連結部１１によって連結されている。可動連結部１１はトップケース部材３及びボトムケース部材５の周縁上に形成され、ヘッド挿入孔９ａ、９ｂの近傍に設けられている。可動連結部１１はボトムケース部材５に設けられた回転固定用ピンがトップケース部材３の回転固定用穴に挿入されることで、その部分を中心にして半時計回り（図中矢印方向）に回転する。これによって、ディスク面内方向に回転させてトップケース部材３を開き、ディスク７を出し入れすることができるようになっている。
【００１５】
図３はボトムケース部材の構造を示す図であり、図４は回転固定用ピンの拡大図である。図５はトップケース部材の構造を示す図である。図３に示すように、ボトムケース部材５は、回転固定用ピン１３と、ロック用ピン１７と、リブ１９と、補強リブ２０とから構成される。
【００１６】
回転固定用ピン１３は、その周縁上のヘッド挿入孔９ｂの近傍に設けられ、上述したように、図５に示すトップケース部材３に設けられた回転固定用穴１５に挿入される。これにより、ボトムケース部材５とトップケース部材３とが固定され、かつ、半時計回りに回転される。回転固定用ピン１３は、図５の拡大図に示すように円柱状突起形状となっているため、作業者が組み立て時に回転固定用穴１５に挿入するだけで簡単に取り付けられ、また取り付け後は簡単には外れないようになっている。
【００１７】
ロック用ピン１７は、ボトムケース部材５の周縁部の一端にロック用ピン１７が設けられ、後述するトップケース部材３のロック用板ばね２１と機械的に接続される。ロック用ピン１７と回転固定用ピン１３は、ボトムケース部材５上で相対する位置、すなわち、互いに最も遠い位置に配置されている。これは、ディスクを収納しケースを閉める際に大き
な力がかかり、ケースが閉め易くなるためである。
【００１８】
リブ１９は、ディスクを固定するためにボトムケース部材５の周縁部の一部に形成され、且つ、ヘッド挿入孔９ｂの開口部分と対向する位置に形成される。また、リブ１９はケースのロック時にロック用板ばね２１と接触しない部分に設けられている。
【００１９】
補強リブ２０は、回転固定用ピン１３の近傍に設けられ、かつ、ボトムケース部材５の周縁部の一部に形成される。この補強リブ２０は、ケースを開けたときにトップケース部材３に設けられたリブ２３と接触させてそれ以上開かないようにストッパーの役目を担っている。
【００２０】
図５に示すようにトップケース部材３は、回転固定用穴１５と、ロック用板ばね２１と、リブ２３とから構成される。
【００２１】
回転固定用穴１５は、回転固定用ピン１３と合わさる位置に設けられ、この回転固定用ピン１３が挿入され、ボトムケース部材５とトップケース部材３とを回転及び固定させる。なお、回転固定用ピン１３が回転固定用穴１５に挿入された状態を可動連結部１１と呼ぶ。
【００２２】
ロック用板ばね２１は、詳細は後述するが、トップケース部材３の周縁部に一体に設けられ、窪んだ部分がボトムケース部材５のロック用ピン１７に引っ掛かるように構成される。
【００２３】
リブ２３は、トップケース部材３の周縁部に設けられ、ボトムケース部材５のリブ１９と補強リブ２０で覆われていない部分を覆う。すなわち、ケース自体を閉めたときにはボトムケース部材５のリブ１９、補強リブ２０とトップケース部材３のリブ２３でちょうどディスク周囲を覆うようになっている。また、このリブ２３上には上記回転固定用穴１５が設けられる。これは、回転固定用ピン１３がリブ１９上にないことから、ケースを閉めたときにその部分を覆うためリブ２３上に設ける必要があるからである。
【００２４】
図６は、光ディスク用ケースのロック機構の構造を示す拡大図である。
【００２５】
図６に示すように、トップケース部材３の周縁部にロック用板ばね２１が一体に設けられ、このロック用板ばね２１の内側部分（ディスク内周方向側の部分）は窪み状に形成されている。この窪み形状にロック用ピン１７が引っ掛かることによって、トップケース部材３が勝手に開かないようになっている。
【００２６】
光ディスク用ケース１００を開けてディスクを取り出す場合、ユーザはボトムケース部材５を持ち、トップケース部材３をディスク面内方向に半時計周りに回転させる。ケースが閉まった状態ではロック用ピン１７がロック用板ばね２１の窪みに引っ掛かってケースがロックされた状態になっているが、トップケース部材３を矢印Ａ方向に少し回すことで、ロック用板ばね２１の先端が矢印Ｂの方向に動きロックが外れる。ロックが外れたらケースをディスク面内方向に半時計回りに回転させてケースを開ける。ケースを開けていくと、トップケース部材３のリブ２３の一部がボトムケース部材５の補強リブ２０と接触しケースがそれ以上開かないようになっている。
【００２７】
光ディスク用ケース１００にディスクを入れてケースを閉める場合、ユーザはトップケース部材３を持ってボトムケース部材５をディスク面内方向に時計回りに回す。ロック用板ばね２１の先端とロック用ピン１７が衝突するが、少し力を加えることでロック用板ばね２１の先端が矢印Ｂ方向に動きロック用板ばね２１の窪みにロック用ピン１７がはまる
。これによって、ケースがロックされる。
【００２８】
以上説明したように、ボトムケース部材とトップケース部材のそれぞれの一端を可動に連結する可動連結部を設けることで、可動連結部周りにディスク面内方向にのみ回転が自由となり、ディスクを容易に出し入れすることができ、さらに、光ディスク用ケースは構成部品が２つ（ボトムケース部材、トップケース部材）、可動連結部が１つで済むため部品点数を少なくした上でしかも組み立ても容易となる。
【００２９】
また、ディスクの水平方向運動を拘束するためのリブをボトムケース部材とトップケース部材に排他的に備えたことで、トップケース部材をディスク面内方向に回転させている間はボトムケース部材とトップケース部材のリブ同士が接触しない。但し、トップケース部材の回転を制御するために、ケースを開けたときにボトムケース部材の補強リブとトップケース部材のリブが接触するようになっている。
【００３０】
また、トップケース部材のリブに一体化されたロック用板ばねと、ボトムケース部材に一体化されたロック用ピンでケースをロックするため、ロックのための部品を別個に製造することなく、光ディスク用ケースにロック機構を持たせることができる。
【００３１】
また、ロック機構が光ディスク用ケース内において可動連結部から最も遠い位置に配置されることで、ディスクを収納しケースを閉める際に大きな力が加わり、ケースが閉め易くなる。
【００３２】
なお、本発明は、上記実施形態に限定されるものではなく、実施段階では、その要旨を逸脱しない範囲で種々に変形することが可能である。
【図面の簡単な説明】
【００３３】
【図１】この発明の実施形態に係るディスク用ケースの構成を示し、ディスクが収納され、かつ、光ディスク用ケースが閉じた状態の斜視図である。
【図２】この発明の実施形態に係るディスク用ケースの構成を示し、光ディスクが収納され、光ディスク用ケースが開いた状態の斜視図である。
【図３】回転固定用ピン１３を示す拡大図。
【図４】ボトムケース部材の構造を示す図。
【図５】トップケース部材の構造を示す図。
【図６】光ディスク用ケースのロック機構の構造を示す拡大図。
【符号の説明】
【００３４】
３  トップケース部材
５  ボトムケース部材
７  ディスク
９ａ、９ｂ  ヘッド挿入孔
１１  可動連結部
１３  回転固定用ピン
１５  回転固定用穴
１７  ロック用ピン
１９、２３  リブ
２０  補強リブ
１００  光ディスク用ケース
【図１】
2005174497.tif 000003
【図２】
2005174497.tif 000004
【図３】
2005174497.tif 000005
【図４】
2005174497.tif 000006
【図５】
2005174497.tif 000007
【図６】
2005174497.tif 000008